(57)【要約】【課題】回転ダイヤルを回転しても、磨耗が生じることがなく、磨耗による誤接点、メカ寿命の短縮が生じることがない回転ダイヤル及び回転ダイヤルにおける回転位置検出方法を提供することを目的とする。【解決手段】内壁と、外壁と、上記内壁と上記外壁とを貫通する複数の穴とを具備する環状の回転部と、上記回転部の穴を挟む受光素子と発光素子とであって、互いに対向している発光素子と受光素子とを有し、上記受光素子は、複数の受光エリアを具備し、上記複数の受光エリアからの出力信号は、互いに異なるタイミングで出力される回転ダイヤルである。【選択図】図２
2010092617.tif 000002
【特許請求の範囲】
【請求項１】
内壁と、外壁と、上記内壁と上記外壁とを貫通する複数の穴とを具備する環状の回転部と；
上記回転部の穴を挟む受光素子と発光素子とであって、互いに対向している発光素子と受光素子と；
を有し、上記受光素子は、複数の受光エリアを具備し、上記複数の受光エリアからの出力信号は、互いに異なるタイミングで出力されることを特徴とする回転ダイヤル。
【請求項２】
請求項１において、
上記回転部は、その周囲に複数の凹凸部を有し、上記内壁と上記外壁とを貫通する穴は、凹部または凸部の中央位置に設けられ、上記凹部または上記凸部を乗り越える部材を有することを特徴する回転ダイヤル。
【請求項３】
内壁と、外壁と、上記内壁と上記外壁とを貫通する複数の穴とを具備する環状の回転部と；
上記回転部の穴を挟む受光素子と発光素子とであって、互いに対向している発光素子と受光素子と；
を有する回転ダイヤルにおける回転位置検出方法であって、
上記受光素子は、複数の受光エリアを具備し、上記複数の受光エリアからの出力信号は、互いに異なるタイミングを出力でされることを特徴とする回転ダイヤルにおける回転位置検出方法。
【発明の詳細な説明】
【技術分野】
【０００１】
本発明は、回転操作によって、ＵＩや機器を操作する回転ダイヤルに関する。
【背景技術】
【０００２】
現在、市販されている多くの電気製品（携帯電話やリコモン等）には、回転ダイヤルが搭載されている。
【０００３】
上記回転ダイヤルを操作することによって、表示画面中のアイコンやスクロールを移動させ、機器内部のモータ等を動作させる。これらの電気製品の中に搭載されている回転ダイヤルを１周させると、人は、複数のクリックを感じ、１クリックと回転方向とに応じて、アイコンやモータが一定量移動する。
【０００４】
上記回転ダイヤルは、中空の環状を構成するハウジングと、このハウジングに回動可能に取り付けられ、回動することによって、固定接点と接離する可動接点が設置されている回転板を有する。また、上記回転ダイヤルにおいて、回転板の回転に連動して、異なる位相を出力する出力端子を有するメカ方式の回転ダイヤルが知られている（たとえば、特許文献１参照）。
【特許文献１】特開２００２−０２５３９４号公報
【発明の開示】
【発明が解決しようとする課題】
【０００５】
メカ方式の回転ダイヤルである従来例は、接点に金属があるので、磨耗が生じ、この磨耗によって、削りカスが発生し、この削りカスによって誤接点が生じ、また、メカ寿命が短くなる等の問題がある。
【０００６】
また、上記従来例は、端子位置が固定されているので、静電気に対する沿面距離が不足し、静電気が端子に落ち、機器の動作や故障を引き起こすという問題がある。
【０００７】
本発明は、回転ダイヤルを回転しても、磨耗が生じることがなく、磨耗による誤接点、メカ寿命の短縮が生じることがない回転ダイヤル及び回転ダイヤルにおける回転位置検出方法を提供することを目的とする。
【課題を解決するための手段】
【０００８】
本発明は、内壁と、外壁と、上記内壁と上記外壁とを貫通する複数の穴とを具備する環状の回転部と、上記回転部の穴を挟む受光素子と発光素子とであって、互いに対向している発光素子と受光素子とを有し、上記受光素子は、複数の受光エリアを具備し、上記複数の受光エリアからの出力信号は、互いに異なるタイミングで出力される回転ダイヤルである。
【発明の効果】
【０００９】
本発明によれば、回転ダイヤルを回転しても、磨耗が生じることがなく、磨耗による誤接点、メカ寿命の短縮が生じることがないという効果を奏する。
【発明を実施するための最良の形態】
【００１０】
発明を実施するための最良の形態は、次の実施例である。
【実施例１】
【００１１】
図１は、本発明の実施例１である回転ダイヤル１００を示す図であり、回転位置検出方法を示す構造図である。
【００１２】
回転ダイヤル１００は、環状の土台部１０２と回転部１０３とを有する。
【００１３】
回転部１０３は、６つの凹凸部を有し、凸部の中央には、内壁と外壁とを貫通する穴１０４が設けられている。回転部１０３の外側には、バネ１０５が設定され、回転部１０３の凸部が、バネ１０５を乗り越えることによって、人は、クリックしたことを感じる。
【００１４】
回転ダイヤル１００の内側には、ＬＥＤ１０６が実装されている。ＬＥＤ１０６は、外向きであり、ＬＥＤ１０６を取り付ける高さ位置は、穴１０４と同じ高さ位置になるように実装されている。回転ダイヤル１００の外側であって、ＬＥＤ１０６と対向する位置に、２つのフォトトランジスタ１０７、１０８が実装されている。
【００１５】
図２は、図１に示す回転ダイヤル１００を上から見た平面図である。
【００１６】
図２（ａ）に示す位置に、回転部１０３が位置しているときに、ＬＥＤ１０６の光は、回転部１０３の内壁に遮断される。
【００１７】
次に、図２（ａ）に示す状態から、回転部１０３を、反時計周りに回転させ、回転部１０３が、図２（ｂ）に示す位置になると、ＬＥＤ１０６の光が、回転部１０３の穴１０４を通過し、フォトトランジスタ１０７を照射する。
【００１８】
回転部１０３を反時計周りにさらに回し、図２（ｃ）に示す位置で、フォトトランジスタ１０８に、ＬＥＤ１０６の光が照射する。
【００１９】
図３は、実施例１における出力信号の波形を示す図である。
【００２０】
図３（ａ）は、回転部１０３を反時計周りに回転した場合における出力信号の波形を示す図である。
【００２１】
回転部１０３を反時計周りに回転し、回転部１０３の穴１０４がフォトトランジスタ１０７の位置に来ると、図３（ａ）に示すように、フォトトランジスタ１０７の出力信号が立ち上がる。回転部１０３を反時計周りにさらに回すと、ＬＥＤ１０６の光のうちで、フォトトランジスタ１０７への照射光量が減り、フォトトランジスタ１０８への照射光量が増える。したがって、図３に示すように、フォトトランジスタ１０７の出力信号が立下り、フォトトランジスタ１０８の出力信号が立上る。回転部１０３を反時計周りにさらに回すと、フォトトランジスタ１０８への照射光量が減り、フォトトランジスタ１０８の出力信号は立下がる。
【００２２】
次に、回転部１０３を時計周りに回転した場合について説明する。
【００２３】
回転部１０３を時計周りに回転し、図２（ｄ）に示す位置で、フォトトランジスタ１０８に光が照射される。時計周りに回転部１０３を時計周りにさらに回すと、図２（ｅ）に示す位置で、フォトトランジスタ１０７に光が照射される。
【００２４】
図３（ｂ）は、回転部１０３を時計周りに回した場合における出力信号の波形を示す図である。
【００２５】
回転部１０３を時計周りに回し、回転部１０３の穴がフォトトランジスタ１０８の位置に来ると、図３（ｂ）に示すように、フォトトランジスタ１０８の信号が立ち上がる。回転部１０３を時計周りにさらに回すと、ＬＥＤ１０６の光のうちで、フォトトランジスタ１０８への照射光量が減り、フォトトランジスタ１０７への照射光量が増える。したがって、図３に示すように、フォトトランジスタ１０８の出力信号は立下り、フォトトランジスタ１０７の出力信号が立上る。時計周りにさらに回すと、フォトトランジスタ１０７への照射光量が減り、フォトトランジスタ１０７の出力信号が立下がる。
【００２６】
つまり、反時計周りの場合、フォトトランジスタ１０７→１０８の順に、照射光量（出力信号）が増加し、減少し、時計周りの場合、フォトトランジスタ１０８→１０７の順に、照射光量（信号）が増加し、減少する。このフォトトランジスタの信号変化の順番に基づいて、回転方向を判定する。
【００２７】
次に、実施例１の構成について説明する。
【００２８】
図４は、実施例１における操作部４０５とＬＣＤ４０７とを示すブロック図である。
【００２９】
ＡＳＩＣ４０１は、ＬＥＤの点灯制御やフォトトランジスタの波形処理や各部の動作を全体的に制御するＣＰＵ４０２を含む。ＲＯＭ４０３は、ＡＳＩＣ４０１が実行する処理手順に対応したプログラムを記憶している。ＲＡＭ４０４は、ＡＳＩＣ４０１が処理手順を実行する過程でパラメータやデータを一時保存するためのエリアを有する。
【００３０】
操作部４０５には、電源の投入やユーザが所要の操作を行うための各種操作ボタンや回転ダイヤルやＬＥＤ等が配置されている。ＬＣＤ４０７は、操作状態、画像や映像を表示し、ＬＣＤコントローラ４０６によって制御される。
【００３１】
なお、上記実施例において、回転部１０３は、内壁と、外壁と、上記内壁と上記外壁とを貫通する複数の穴とを具備する環状の回転部の例である。ＬＥＤ１０６、フォトトランジスタ１０７、１０８は、回転部の穴を挟む受光素子と発光素子とであって、互いに対向している発光素子と受光素子の例である。また、上記受光素子は、複数の受光エリアを具備し、上記複数の受光エリアからの出力信号は、互いに異なるタイミングで出力される。さらに、上記回転部は、その周囲に複数の凹凸部を有し、上記内壁と上記外壁とを貫通する穴は、凹部または凸部の中央位置に設けられ、上記凹部または上記凸部を乗り越える部材を有する。バネ１０５は、上記凹部または上記凸部を乗り越える部材の例である。
【００３２】
次に、回転ダイヤル１００を回転し、ＵＩを動作させるまでの処理について説明する。
【００３３】
図５は、回転ダイヤル１００を回転し、ＵＩを動作させるまでの処理を示すフローチャートである。
【００３４】
開始後、信号入力があるまで、回転ダイヤル１００は、スタンバイ状態である（Ｓ５０１）。Ｓ５０２で、ＡＳＩＣ４０１は、フォトトランジスタ１０７、１０８のそれぞれの出力信号の変化を定期的にチェックする。フォトトランジスタ１０７、１０８の出力信号の変化を検出し、変化があれば、Ｓ５０３で、デジタルフィルタでチャタリングを除去する。フォトトランジスタ１０７の出力信号と、フォトトランジスタ１０８の出力信号とを同時に検出したときにのみ（Ｓ５０４）、信号変化の順番に基づいて、回転部１０３の回転方向を判定する（Ｓ５０５）。
【００３５】
次に、判定した回転方向に応じて、Ｓ５０６で、アイコンやページ等のＵＩを１単位、移動させる。この後、直ちに、スタンバイ状態に戻る。
【００３６】
なお、実施例１のＬＥＤ１０６やフォトトランジスタ１０７、１０８の位置は、回転部１０３の穴１０４に対向できる位置であれば、自由に配置することができる。
【００３７】
また、静電気対策として、ＬＥＤ１０６とフォトトランジスタ１０７、１０８との距離を離す場合、ＬＥＤ１０６の光量を増加させる必要がある。
【００３８】
上記実施例では、光学方式の回転ダイヤルによって、１クリック毎に、ＵＩを確実に動作させることができる。
【００３９】
なお、上記実施例における手段を工程に置き換えれば、上記実施例を、回転ダイヤルにおける回転位置検出方法の発明として把握することができる。
【図面の簡単な説明】
【００４０】
【図１】本発明の実施例１である回転ダイヤル１００を示す図であり、回転位置検出方法を示す構造図である。
【図２】図１に示す回転ダイヤル１００を上から見た平面図である。
【図３】実施例１における出力信号の波形を示す図である。
【図４】実施例１における操作部４０５とＬＣＤ４０７とを示すブロック図である。
【図５】回転ダイヤル１００を回転し、ＵＩを動作させるまでの処理を示すフローチャートである。
【符号の説明】
【００４１】
１００…回転ダイヤル、
１０２…土台部、
１０３…回転部、
１０４…穴、
１０５…バネ、
１０６…ＬＥＤ、
１０７、１０８…フォトトランジスタ。
【図１】
2010092617.tif 000003
【図２】
2010092617.tif 000004
【図３】
2010092617.tif 000005
【図４】
2010092617.tif 000006
【図５】
2010092617.tif 000007